(57)【要約】      （修正有）【課題】スイッチ端子ユニットの固定端子と弾性端子が安定的に連接可能な電気コネクターを提供する。【解決手段】電気コネクター１は、絶縁台１０、伝送端子ユニット３０及びスイッチ端子ユニット４０を備える。絶縁台１０上には挿入接続孔１２及び欠口１３を開設する。スイッチ端子ユニット４０は絶縁台１０外側を覆う固定端子４１と弾性端子４２により組成する。固定端子４１は第一連接部４１１、及び第一連接部４１１から延伸する少なくとも２個以上の第一スイッチ部４１９を備える。弾性端子４２は第二連接部４２１、及び第二連接部４２１から延伸する。第二スイッチ部４２７を備る。第二スイッチ部４２７と第一スイッチ部４１９は各々欠口１３に対応し、第二スイッチ部４２７は少なくとも２個以上の第一スイッチ部４１９上に弾性接触する。【選択図】図２
0003153135.tif 000002
【実用新案登録請求の範囲】
【請求項１】
絶縁台、伝送端子ユニット、スイッチ端子ユニットを備え、
前記絶縁台は、挿入接続孔を開設し、前記絶縁台頂点面上には、前記挿入接続孔に対応して、前記挿入接続孔と連通する欠口を設置し、
前記伝送端子ユニットは、前記絶縁台上に固定し、
前記スイッチ端子ユニットは、前記絶縁台外側を覆う固定端子と弾性端子を備え、
前記固定端子は、第一連接部、及び前記第一連接部から延伸する、少なくとも２個の第一スイッチ部を備え、前記第一スイッチ部は、前記欠口に対応して、前記欠口外側に設置し、
前記弾性端子は、第二連接部、及び前記第二連接部から延伸する第二スイッチ部を備え、前記第二スイッチ部は、前記欠口に対応して、前記欠口の内側に設置し、
前記第二スイッチ部と前記第一スイッチ部は、相互に一定の距離を隔て、しかも前記第二スイッチ部は、前記第一スイッチ部に弾性接触することを特徴とする電気コネクター。
【請求項２】
請求項１記載の電気コネクターにおいて、前記絶縁台両側には、外へと向かい複数の凸ブロックを設置し、
前記固定端子の第一連接部の両側縁には、それぞれ同一側へと垂直に湾曲する第一係合固定部を延伸し、前記第一係合固定部上には、第一係合口を開設し、前記第一係合固定部の末端側縁は、第一溶接ピンを外へと延伸し、
前記第一連接部は、前記絶縁台前部の上表面を覆い、前記凸ブロックは、前記第一係合口内に係合し、前記第一連接部上には、前記挿入接続孔に相対して、上方へと窪む凹部を形成し、前記第一連接部は、前記凹部の前端に、開口を開設することを特徴とする電気コネクター。
【請求項３】
請求項２記載の電気コネクターにおいて、前記第一スイッチ部は、前記開口の両側辺縁から、それぞれ開口内へと接触アームを延伸し、前記接触アーム末端には、接触凸部を形成し、前記接触凸部は、前記欠口に対応して、前記欠口外側に設置することを特徴とする電気コネクター。
【請求項４】
請求項１記載の電気コネクターにおいて、前記第二連接部の両側縁には、それぞれ同一側へと垂直に湾曲する第二係合固定部を延伸し、前記第二係合固定部上には、第二係合口を開設し、前記凸ブロックは、前記第二係合口内に係合し、
前記係合固定部の末端側縁は、第二溶接ピンを外へと延伸し、
前記第二連接部の前側縁は、前へと向かい、前記第二係合固定部の一方へと傾斜する第二スイッチ部を延伸することを特徴とする電気コネクター。
【請求項５】
請求項４記載の電気コネクターにおいて、前記第二スイッチ部は、前記第二連接部の前端側縁から、前へと向かい、前記第二係合固定部の一方へと傾斜して延伸する弾性アーム、及び前記弾性アームの末端から湾曲して延伸する接触部を備えることを特徴とする電気コネクター。
【請求項６】
請求項１記載の電気コネクターにおいて、前記絶縁台上表面には、定位ブロックを設置し、前記固定端子の第一連接部上には、定位孔を開設し、前記定位ブロックは、前記定位孔内に係合することを特徴とする電気コネクター。
【請求項７】
請求項１記載の電気コネクターにおいて、前記絶縁台の挿入接続孔の両側には、前記挿入接続孔と連通する複数の音声端子槽を開設し、
前記絶縁台の前端は、片側へと向かい収容設置孔を延伸し、
前記収容設置孔の上下両側には、複数の充電端子槽を設置することを特徴とする電気コネクター。
【請求項８】
請求項７記載の電気コネクターにおいて、前記伝送端ユニットは、複数の音声端子と複数の充電端子により組成し、
前記各音声端子は、前記音声端子槽中に設置し、
前記殻充電端子は、前記充電端子槽中に設置することを特徴とする電気コネクター。
【考案の詳細な説明】
【技術分野】
【０００１】
本考案は電気コネクターに関し、特に音声プラグと対応接続する電気コネクターに関する。
【背景技術】
【０００２】
電子産業の飛躍的な発展により、各種ハイテク製品が絶えず生み出されている。
音声信号を伝送するVFコンセントコネクターは、携帯電話、PDA、MR3、MP4、ノート型コンピューターなどの電子製品においてAV視聴に広く使用されており、その主要な機能は、システム間の音声伝送を行なうことである。
【０００３】
特許文献１が掲示するVFコンセントコネクターは主に、絶縁本体、複数の信号端子、１組のスイッチ端子を備える。絶縁本体上には、挿入接続孔、及び挿入接続孔と連通する複数の収容設置槽を設置する。複数の信号端子と１組のスイッチ端子は共に、収容設置槽内に収容される。スイッチ端子は、第一端子と第二端子を備える。第一端子は、第一端子本体、及び第一端子本体から延伸する第一弾性接触アームを備える。第二端子は、第二端子本体、及び第二端子本体から延伸する第二弾性接触アームを備える。対応接続プラグは、挿入接続孔に挿入後、第二端子の第二弾性接触アームは、対応接続プラグに押され、第一端子の第一弾性接触アームと電気的に連接する。
【０００４】
上記した従来のVFコンセントコネクターにおいては、第二端子の第二弾性接触アームと第一端子の第一弾性接触アームは、単一点接触であるため、VFコンセントコネクターと音声プラグが対応接続する時、音声プラグが斜めに挿入され、或いは対応接続プラグが挿入接続孔内において回転する状況が、しばしば出現する。この時、音声プラグは、第二端子の第二弾性接触アームに対して、傾斜の或いは回転の圧力を与えてしまい、これにより、第二弾性接触アームは変形し、第一端子の第一弾性接触アームと確実な接触ができなくなる。こうして、第二端子と第一端子の電気的連接は不安定になってしまう。
【先行技術文献】
【特許文献】
【０００５】
【特許文献１】中華人民共和国特許公告第CN2914398Y号明細書
【考案の概要】
【考案が解決しようとする課題】
【０００６】
本考案は、スイッチ端子が安定的に接触する電気コネクターを提供することである。
【課題を解決するための手段】
【０００７】
上記課題を解決するため、本考案は下記の電気コネクターを提供する。
電気コネクターは、絶縁台、該絶縁台上に固定する伝送端子ユニット及びスイッチ端子ユニットを備え、
該絶縁台上には挿入接続孔を開設し、該絶縁台頂点面上には、該挿入接続孔に対応して、該挿入接続孔と連通する欠口を設置し、
該スイッチ端子ユニットは、該絶縁台外側を覆う固定端子と弾性端子から組成し、
該固定端子は、第一連接部、及び該第一連接部から延伸する、少なくとも２個の第一スイッチ部を備え、該第一スイッチ部は、該欠口に対応して、該欠口外側に設置し、
該弾性端子は、第二連接部、及び該第二連接部から延伸する第二スイッチ部を備え、該第二スイッチ部は、該欠口に対応して、該欠口の内側に設置し、
該第二スイッチ部と該第一スイッチ部は、相互に一定の距離を隔て、しかも該第二スイッチ部は、少なくとも２個以上の該第一スイッチ部に弾性接触する。
【考案の効果】
【０００８】
本考案の電気コネクターは、固定端子が少なくとも２個の第一スイッチ部を備えるため、第一スイッチ部と第二スイッチ部との間に少なくとも２点の接触点を形成する。これにより、スイッチ端子ユニットの固定端子と弾性端子は、安定的な電気的連接を達成することができる。
【図面の簡単な説明】
【０００９】
【図１】本考案電気コネクターの立体図である。
【図２】図１に示す電気コネクターの立体分解図である。
【図３】図１に示す電気コネクターの別の角度からの立体分解図である。
【図４】固定端子と弾性端子の接触方式、及び絶縁台の局部の断面を示す、図１に示す電気コネクターと音声プラグを接続後の正面図である。
【考案を実施するための形態】
【００１０】
図１、２、４に示すように、本考案の電気コネクター１は、音声プラグ５０との対応接続に用いる。音声プラグ５０は、絶縁リング(図示なし)を備える。電気コネクター１は、絶縁台１０、後蓋２０、及び絶縁台１０上に固定する伝送端子ユニット３０、スイッチ端子ユニット４０を備える。
【００１１】
図２、３に示すように、絶縁台１０は、ブロック状のベース１１を備え、ベース１１の前端から後方へと、ベース１１を貫通する挿入接続孔１２を開設する。ベース１１前端の頂点部には、挿入接続孔１２と連通する欠口１３を開設する。ベース１１は、挿入接続孔１２の両側において、挿入接続孔１２と連通する複数の音声端子槽１４を開設する。ベース１１の前端には、片側へと延伸する収容設置孔１７を備える。収容設置孔１７の上下両側には、複数の充電端子槽１８を設置する。ベース１１前部の上表面の両端には、それぞれ定位ブロック１５を設置する。ベース１１両側には、外へと向かい複数の凸ブロック１６を設置する。
【００１２】
本考案の伝送端子ユニット３０は、複数の音声端子３０１、複数の充電端子３０２から組成する。各音声端子３０１は、ベース１１において、挿入接続孔１２両側に設置する音声端子槽１４中に設置する。各充電端子３０２は、ベース１１において、収容設置孔１７の上下両側に設置する充電端子槽１８中に設置する。
【００１３】
図１に示すように、後蓋２０は、絶縁台１０の後端を蓋して覆う。これにより、ほこり、水、或いは他の雑物が、電気コネクター１に配置する電子製品(図示なし)中に、絶縁台１０から進入しないようにする。
【００１４】
図２、３に示すように、スイッチ端子ユニット４０は、固定端子４１と弾性端子４２を備える。固定端子４１は、板状の第一連接部４１１を備え、第一連接部４１１の両端には、それぞれ定位孔４１１１を開設する。第一連接部４１１の両側縁には、それぞれ同一側へと垂直に湾曲して、第一係合固定部４１２を延伸する。第一係合固定部４１２上には、第一係合口４１３を開設し、第一係合固定部４１２の末端側縁は、外へ向かい、第一溶接ピン４１４を延伸する。第一連接部４１１は、絶縁台１０前部の上表面を蓋して覆う。定位ブロック１５は、定位孔４１１１内に係合し、凸ブロック１６は、第一係合口４１３内に係合する。第一連接部４１１上は、挿入接続孔１２に相対して、上方へと窪む凹部４１５を形成する。第一連接部４１１は、凹部４１５の前端に、開口４１６を開設し、開口４１６の両端辺縁は、それぞれ開口内へと延伸する第一スイッチ部４１９を形成する。第一スイッチ部４１９は、開口４１６の両側辺縁からそれぞれ開口内へと延伸する接触アーム４１７、及び接触アーム４１７の末端に突出設置する接触凸部４１８を備える。
【００１５】
弾性端子４２は、板状の第二連接部４２１を備える。第二連接部４２１の両側辺縁は、それぞれ同一側へと垂直に湾曲して、第二係合固定部４２２を延伸する。第二係合固定部４２２上には、第二係合口４２３を開設し、第二係合固定部４２２の末端側縁は、外へ向かい、第二溶接ピン４２４を延伸する。第二連接部４２１の前端側縁は、第二スイッチ部４２７を延伸し、第二スイッチ部４２７は、欠口１３に対応して、欠口１３内側に設置する。第二スイッチ部４２７は、第二連接部４２１の前端側縁から前へと向かい、第二係合固定部４２２の一方へと傾斜して延伸する弾性アーム４２５、及び弾性アーム４２５の末端から湾曲して延伸する接触部４２６を備える。
【００１６】
図１、２、３に示すように、本考案の電気コネクター１の組立て時には、固定端子４１と弾性端子４２は、絶縁台１０上を覆うように下向きに結合する。第一連接部４１１と第二連接部４２１は、絶縁台１０の上表面を覆い、２個の第一係合固定部４１２と２個の第二係合固定部４２２は、絶縁台１０の両側表面を覆う。第一係合口４１３と第二係合口４２３により、凸ブロック１６と係合し、絶縁台１０上に固定する。第一溶接ピン４１４と第二溶接ピン４２４は共に、絶縁台１０から伸び出し、回路板(図示なし)に溶接される。弾性端子４２の弾性アーム４２５は、挿入接続孔１２内へと進入し、弾性端子４２の弾性アーム４２５と固定端子４１の接触凸部４１８とは、相互に間隔を隔てる。こうして、固定端子４１と弾性端子４２とは、遮断状態となる。
【００１７】
図３、４に示すように、音声プラグ５０が絶縁台１０の挿入接続孔１２中に挿入されると、音声プラグ５０の絶縁リングは、弾性端子４２の接触部４２６を押す。こうして、弾性端子４２の接触部４２６は、固定端子４１の接触凸部４１８上に接続し、これにより、スイッチ端子ユニット４０の固定端子４１と弾性端子４２は電気的に連接する。固定端子４１と弾性端子４２は、絶縁台１０外側を覆い、弾性端子４２の接触部４２６は、音声プラグ５０の絶縁リング上を押し、音声プラグ５０に直接的には接触しない。そのため、スイッチ端子ユニット４０と電気コネクター１の伝送端子ユニット３０との間の静電感応、及び音声プラグ５０に対する信号干渉を効果的に減少させることができる。
【００１８】
本考案電気コネクター１は、固定端子４１に２個の第一スイッチ部４１９を設置することで、第一スイッチ部４１９と第二スイッチ部４２７との間に、少なくとも２点の接触点を形成することができる。これにより、音声プラグ５０が外力を受け、傾斜、或いは挿入接続孔１２内で回転したとしても、弾性端子４２のスイッチ部４１９の、１個の接触凸部４１８との接触を維持可能である。こうして、固定端子４１と弾性端子４２の持続的な電気的連接を保証し、音声信号の安定的な伝送を保証することができる。
【符号の説明】
【００１９】
１  電気コネクター
１０  絶縁台
１１  ベース
１２  挿入接続孔
１３  欠口
１４  音声端子槽
１５  定位ブロック
１６  凸ブロック
１７  収容設置孔
１８  充電端子槽
２０  後蓋
３０  伝送端子ユニット
３０１  音声端子
３０２  充電端子
４０  スイッチ端子ユニット
４１  固定端子
４１１  第一連接部
４１１１  定位孔
４１２  第一係合固定部
４１３  第一係合口
４１４  第一溶接ピン
４１５  凹部
４１６  開口
４１７  接触アーム
４１８  接触凸部
４１９  第一スイッチ部
４２  弾性端子
４２１  第二連接部
４２２  第二係合固定部
４２３  第二係合口
４２４  第二溶接ピン
４２５  弾性アーム
４２６  接触部
４２７  第二スイッチ部
５０  音声プラグ
【図１】
0003153135.tif 000003
【図２】
0003153135.tif 000004
【図３】
0003153135.tif 000005
【図４】
0003153135.tif 000006
【手続補正書】
【提出日】平成21年6月22日(2009.6.22)
【手続補正１】
【補正対象書類名】実用新案登録請求の範囲
【補正対象項目名】請求項４
【補正方法】変更
【補正の内容】
【請求項４】
請求項１記載の電気コネクターにおいて、前記第二連接部の両側縁には、それぞれ同一側へと垂直に湾曲する第二係合固定部を延伸し、前記第二係合固定部上には、第二係合口を開設し、凸ブロックは、前記第二係合口内に係合し、
前記係合固定部の末端側縁は、第二溶接ピンを外へと延伸し、
前記第二連接部の前側縁は、前へと向かい、前記第二係合固定部の一方へと傾斜する第二スイッチ部を延伸することを特徴とする電気コネクター。
【手続補正２】
【補正対象書類名】実用新案登録請求の範囲
【補正対象項目名】請求項８
【補正方法】変更
【補正の内容】
【請求項８】
請求項７記載の電気コネクターにおいて、前記伝送端子ユニットは、複数の音声端子と複数の充電端子により組成し、
前記各音声端子は、前記音声端子槽中に設置し、
前記各充電端子は、前記充電端子槽中に設置することを特徴とする電気コネクター。